(57)【要約】【課題】操作パネルを反転し、裏面側を表向きにすることで車載用電子機器の存在が分からないようにし、盗難を防止する装置において、操作パネルの裏面に設けていた操作パネルを通常使用状態に戻すためのキーボタンを無くし、構成の簡素化を図る。【解決手段】車載用電子機器において、操作パネル２の表面２ａ側に設けた複数個のキーボタン１の内、１個のキーボタン５の突出量を大きく構成し、操作パネル２の裏面２ｂを押すと突出量を大きく構成したキーボタン５が筐体本体３側に当り、操作パネル２が押されたことを検出するように構成する。【選択図】      図２
2004203184.tif 000002
【特許請求の範囲】
【請求項１】
複数個のキーボタンを有し、電動で表裏反転動作可能に構成した操作パネルを筐体本体の前面に備えた車載用電子機器において、
操作パネルの表面側に設けた複数個のキーボタンの内、１個のキーボタンの突出量を大きく構成し、操作パネルの裏面を押すと突出量を大きく構成したキーボタンが筐体本体側に当り、操作パネルが押されたことを検出するように構成したことを特徴とする車載用電子機器。
【請求項２】
前記突出量を大きく構成したキーボタンは、外部から見える通常使用状態にあるときは、別の機能用のキーボタンとして動作するように構成したことを特徴とする請求項１記載の車載用電子機器。
【請求項３】
複数個のキーボタンを有し、電動で表裏反転動作可能に構成した操作パネルを筐体本体の前面に備えた車載用電子機器において、
操作パネルの表面側に設けた複数個のキーボタンの内、１個のキーボタンと接触する凸部を筐体本体の前面に設け、操作パネルの裏面を押すとキーボタンの１個が凸部に当り、操作パネルが押されたことを検出するように構成したことを特徴とする車載用電子機器。
【請求項４】
複数個のキーボタンを表面側に設けた操作パネルと、この操作パネルの一端部を支点として開閉自在に支持する筐体本体とから成る車載用電子機器において、
操作パネルの表面側に設けた複数個のキーボタンの内、１個のキーボタンの突出量を大きく構成し、操作パネルの裏面を押すと突出量を大きく構成したキーボタンが筐体本体側に当り、操作パネルが押されたことを検出するように構成したことを特徴とする車載用電子機器。
【請求項５】
前記突出量を大きく構成したキーボタンは、外部から見える通常使用状態にあるときは、別の機能用のキーボタンとして動作するように構成したことを特徴とする請求項４記載の車載用電子機器。
【請求項６】
複数個のキーボタンを表面側に設けた操作パネルと、この操作パネルの一端部を支点として開閉自在に支持する筐体本体とから成る車載用電子機器において、
操作パネルの表面側に設けた複数個のキーボタンの内、１個のキーボタンと接触する凸部を筐体本体の前面に設け、操作パネルの裏面を押すとキーボタンの１個が凸部に当り、操作パネルが押されたことを検出するように構成したことを特徴とする車載用電子機器。
【発明の詳細な説明】
【０００１】
【発明の属する技術分野】
本発明は、運転手等が車から離れているときに、カーオーディオ等の車載用電子機器が装着されているのを車外から見えないようにすることにより、盗難を防止するように構成した車載用電子機器に関する。
【０００２】
【従来の技術】
カーオーディオ等の車載用電子機器の盗難を防止するために、車載用電子機器の前面をカバーで覆い車載用電子機器の存在が車外から分からないようにする装置が知られている。（例えば、特許文献１参照）
【０００３】
また、このように車載用電子機器の前面をカバーで覆い車外から車載用電子機器の存在が分からないようにして盗難を防止する装置の外に、図５および図６に示すように構成した車載用電子機器の盗難防止装置が提案されている。
図５（ａ）は、車載用電子機器の通常使用状態示す斜視図で、複数個のキーボタン１を有し、電動で表裏反転動作可能（反転動作機構は、図示省略）に構成した操作パネル２を筐体本体３の前面に備えた車載用電子機器である。また、図５（ｂ）は、車載用電子機器の操作パネル２を反転し、操作パネル２の裏面２ｂを表向きにした状態を示す斜視図である。図６（ａ）は、操作パネル２の表面２ａを通常使用状態の表向きにした状態を示す側面図、図６（ｂ）は、操作パネル２を反転し、裏面２ｂを表向きにした状態を示す側面図、図６（ｃ）は、操作パネル２を反転し、裏面２ｂを表向きにした状態を示す平面図である。
【０００４】
この図５および図６に示す車載用電子機器は、通常の使用状態時には、図５（ａ）および図６（ａ）に示すように、表面２ａが見える表向きの状態、すなわち、車外から車載用電子機器の存在が分かる状態にある。一方、不使用時には、操作パネル２が電動により、表裏反転動作し、図５（ｂ）と、図６（ｂ）および（ｃ）に示すように、操作パネル２の裏面２ｂを表向きの状態にし、複数個のキーボタン１等を有する表面２ａを裏側へ隠し、車載用電子機器の存在がわからないようして盗難を防止していた。
【０００５】
また、この操作パネル２を裏面２ｂ側が表向きになっている不使用状態から、通常の使用状態へ戻す場合は、操作パネル２の裏面２ｂに目立たないように設けたキーボタン４を操作することにより、操作パネル２を反転動作し、図５（ａ）および図６（ａ）に示すように、操作パネル２の表面２ａを表向きに戻すように構成していた。
【０００６】
【特許文献１】
特開平８−１８３４０１号公報（第２−５頁、図１）
【０００７】
【発明が解決しようとする課題】
従来の図５および図６に示す車載用電子機器にあっては、操作パネル２の裏面２ｂ側にもキーボタン４を設けていたため、構成が複雑となり、また構成部品が増えコスト高となる問題があった。
【０００８】
本発明は、従来の技術の有するこのような問題点に鑑みてなされたものであり、その目的とするところは、反転動作した操作パネルを通常の使用状態へ戻すための操作パネルの裏面側に設けていたキーボタンを不要とするとともに、操作パネルの裏面の任意位置を筐体本体方向へ押圧操作をすることにより、操作パネルの反転動作、あるいは開放動作を開始させることができる安価な構成を備えた車載用電子機器を提供することにある。
【０００９】
【課題を解決するための手段】
上記目的を達成するために、本発明の車載用電子機器においては、複数個のキーボタンを有し、電動で表裏反転動作可能に構成した操作パネルを筐体本体の前面に備えた車載用電子機器において、操作パネルの表面側に設けた複数個のキーボタンの内、１個のキーボタンの突出量を大きく構成し、操作パネルの裏面を押すと突出量を大きく構成したキーボタンが筐体本体側に当り、操作パネルが押されたことを検出するように構成したものである。
また、上記突出量を大きく構成したキーボタンは、外部から見える通常使用状態にあるときは、別の機能用のキーボタンとして動作するように構成することが効果的である。
【００１０】
また、複数個のキーボタンを有し、電動で表裏反転動作可能に構成した操作パネルを筐体本体の前面に備えた車載用電子機器において、操作パネルの表面側に設けた複数個のキーボタンの内、１個のキーボタンと接触する凸部を筐体本体の前面に設け、操作パネルの裏面を押すとキーボタンの１個が凸部に当り、操作パネルが押されたことを検出するように構成することもできる。
【００１１】
さらに、複数個のキーボタンを表面側に設けた操作パネルと、この操作パネルの一端部を支点として開閉自在に支持する筐体本体とから成る車載用電子機器において、操作パネルの表面側に設けた複数個のキーボタンの内、１個のキーボタンの突出量を大きく構成し、操作パネルの裏面を押すと突出量を大きく構成したキーボタンが筐体本体側に当り、操作パネルが押されたことを検出するように構成することもできる。
また、上記突出量を大きく構成したキーボタンは、外部から見える通常使用状態にあるときは、別の機能用のキーボタンとして動作するように構成することが効果的である。
【００１２】
さらに、複数個のキーボタンを表面側に設けた操作パネルと、この操作パネルの一端部を支点として開閉自在に支持する筐体本体とから成る車載用電子機器において、操作パネルの表面側に設けた複数個のキーボタンの内、１個のキーボタンと接触する凸部を筐体本体の前面に設け、操作パネルの裏面を押すとキーボタンの１個が凸部に当り、操作パネルが押されたことを検出するように構成することもできる。
【００１３】
【発明の実施の形態】
本発明の実施の形態を実施例にもとづき図面を参照して説明する。
本発明の第１の実施の形態の車載用電子機器を図１および図２を参照して説明する。
図１（ａ）は、車載用電子機器の通常使用状態示す斜視図で、複数個のキーボタン１を有し、電動で表裏反転動作可能（反転動作機構は、図示省略）に構成した操作パネル２を筐体本体３の前面に備えた車載用電子機器である。また、図１（ｂ）は、車載用電子機器の操作パネル２を反転し、操作パネル２の裏面２ｂを表向きにした状態を示す斜視図である。図２（ａ）は、操作パネル２の表面２ａを通常使用状態の表向きにした状態を示す側面図、図２（ｂ）は、操作パネル２を反転し、裏面２ｂを表向きにした状態を示す側面図、図２（ｃ）は、操作パネル２を反転し、裏面２ｂを表向きにした状態を示す平面図である。
【００１４】
この図１および図２に示す車載用電子機器は、通常の使用状態時には、図１（ａ）および図２（ａ）に示すように、表面２ａが見える表向きの状態、すなわち、車外から車載用電子機器の存在が分かる状態にある。一方、不使用時には、操作パネル２が電動により、表裏反転動作し、図１（ｂ）と、図２（ｂ）および（ｃ）に示すように、操作パネル２の裏面２ｂを表向きの状態にし、複数個のキーボタン１等を有する表面２ａを裏側へ隠し、車載用電子機器の存在がわからないようして盗難を防止するように構成している。
【００１５】
また、この車載用電子機器は、操作パネル２の表面２ａ側に設けた複数個のキーボタン１の内、１個のキーボタン５の突出量を他のキーボタン１の突出量よりも大きく構成している。
【００１６】
このように、突出量を大きく構成したキーボタン５を設けることにより、図１（ｂ）と図２（ｂ）および（ｃ）に示すように、操作パネル２の裏面２ｂが表向きの状態にあるときに、操作パネル２の裏面２ｂを筐体本体３の方向へ押圧操作すると、キーボタン５は、筐体本体３の前面に当り、スイッチ（図示省略）を作動して、操作パネル２が押されたことを検出する。この検出信号に基づき、操作パネル２は反転動作を開始し、図１（ａ）および図２（ａ）に示すように、操作パネル２は通常使用状態に戻ることができる。
また、この突出量を大きく構成したキーボタン５は、操作パネル２が通常使用状態に戻ると、他の機能用のキーボタンとして使用することができるように構成している。
【００１７】
この第１の実施の形態の車載用電子機器によれば、突出量を大きく構成したキーボタン５を操作パネル２の表面２ａ側へ設けたことにより、車載用電子機器の不使用時等において、操作パネル２を反転動作させることにより、図１（ｂ）と図２（ｂ）および（ｃ）に示すように、全く何も設けられていない操作パネル２の裏面２ｂが表向きの状態となるから、車外からみた場合は、車載用電子機器の存在が分からない状態となるため、盗難の防止効果が得られる。また、キーボタン５を通常使用するキーボタンと兼用することが可能であるため、構成の簡略化を図ることができる。さらに、従来の図５（ｂ）に示すキーボタン４を設けた場合のように、操作パネル２の特定の場所を押圧操作する必要がなく、操作パネル２の裏面２ｂの任意の場所を筐体本体３方向へ押圧操作することによって、操作パネル２の通常使用状態への反転動作を開始することができ、操作性の向上を図ることができる。
【００１８】
次に、図３に示す本発明の第２の実施の形態の車載用電子機器について説明する。
図３（ａ）および（ｂ）は、複数個のキーボタン１を表面２ａに設けた操作パネル２と、この操作パネル２の一端部を支点として開閉自在に支持する機構（図示省略）を備えた筐体本体３とから成る車載用電子機器を示す側面図である。
【００１９】
この車載用電子機器は、操作パネル２の表面２ａ側に設けた複数個のキーボタン１の内、１個のキーボタン５の突出量を他のキーボタン１の突出量よりも大きく構成している。
このように、突出量を大きく構成したキーボタン５を設けることにより、図３（ｂ）に示すように、操作パネル２の裏面２ｂが表向きの状態にあるときに、操作パネル２の裏面２ｂを筐体本体３の方向へ押圧操作すると、キーボタン５は、筐体本体３の前面に当り、スイッチ（図示省略）を作動して、操作パネル２が押されたことを検出する。この検出信号に基づき、操作パネル２は開放動作を開始し、図３（ａ）に示すように、操作パネル２は通常使用状態に戻ることができる。また、この突出量を大きく構成したキーボタン５は、操作パネル２が通常使用状態に戻ると、他の機能用のキーボタンとして使用することができるように構成している。
【００２０】
この第２の実施の形態の車載用電子機器によれば、突出量を大きく構成したキーボタン５を操作パネル２の表面２ａ側へ設けたことにより、図３（ｂ）に示すように、全く何も設けられていない操作パネル２の裏面２ｂが表向きの状態となるから、車外からみた場合は、車載用電子機器の存在が分からない状態となるため、盗難の防止効果が得られる。また、キーボタン５を通常使用するキーボタンと兼用することが可能であるため、構成の簡略化を図ることができる。さらに、従来の図５（ｂ）に示すキーボタン４を設けた場合のように、操作パネル２の特定の場所を押圧操作する必要がなく、操作パネル２の裏面２ｂの任意の場所を筐体本体３方向へ押圧操作することによって、操作パネル２の通常使用状態への開放動作を開始することができ、操作性の向上を図ることができる。
【００２１】
さらに、図４に示す本発明の第３の実施の形態の車載用電子機器について説明する。
図４は、複数個のキーボタン１を表面２ａに設けた操作パネル２と、この操作パネル２を電動で表裏反転動作または操作パネル２の一端部を支点として開閉自在に支持する機構（図示省略）を備えた筐体本体３とから成る車載用電子機器を示す平面図である。
【００２２】
この図４に示す車載用電子機器は、操作パネル２の表面２ａ側に設けた複数個のキーボタン１の内、１個のキーボタン１と接触する凸部６を筐体本体３の前面に設け、操作パネル２の裏面２ｂを押すとキーボタン１の１個が凸部６に当り、操作パネル２が押されたことを検出するように構成している。
【００２３】
この第３の実施の形態の車載用電子機器によれば、筐体本体３の前面へ凸部６を設けたことにより、従来の図５（ｂ）に示すキーボタン４を設けた場合のように、操作パネル２の特定の場所を押圧操作する必要がなく、操作パネル２の裏面２ｂの任意の場所を筐体本体３方向へ押圧操作することによって、操作パネル２の通常使用状態への反転動作または開放動作を開始することができ、操作性の向上を図ることができる。また、操作パネル２が押されたことを検出するためのキーボタンを通常使用するキーボタン１と兼用することが可能であるため、構成の簡略化を図ることができる。
【００２４】
なお、上述した操作パネル２には、ナビゲーション情報やテレビ情報を表示するディスプレイ部を設けることもできる。
【００２５】
【発明の効果】
本発明は、以上説明したように構成されているので、操作パネルを通常使用状態に戻すために、操作パネルの裏面に設けていたキーボタンを不要とすることができるとともに、操作パネルの裏面の任意の位置を筐体本体方向へ押圧操作することにより、操作パネルの通常使用状態への反転動作または開放動作を開始させることができる安価な構成を備えた車載用電子機器を得ることができる。
【図面の簡単な説明】
【図１】本発明の第１の実施の形態の車載用電子機器を示す説明図である。
【図２】本発明の第１の実施の形態の車載用電子機器を示す説明図である。
【図３】本発明の第２の実施の形態の車載用電子機器を示す説明図である。
【図４】本発明の第３の実施の形態の車載用電子機器を示す説明図である。
【図５】従来の車載用電子機器の概略構成を示す説明図である。
【図６】従来の車載用電子機器の概略構成を示す説明図である。
【符号の説明】
１      キーボタン
２      操作パネル
２ａ    表面
２ｂ    裏面
３      筐体本体
４      キーボタン
５      突出量を大きく構成したキーボタン
６      凸部
【図１】
2004203184.tif 000003
【図２】
2004203184.tif 000004
【図３】
2004203184.tif 000005
【図４】
2004203184.tif 000006
【図５】
2004203184.tif 000007
【図６】
2004203184.tif 000008